(57)【特許請求の範囲】
【請求項１】
釣竿の保持部の下に縦軸状の円筒軸を設けたホルダー本体と、前記円筒軸を回動可能に挿入して前記ホルダー本体を旋回可能に支持する支柱パイプを備えた取付ベースとからなり、該取付ベースの前記支柱パイプには、挿入した前記円筒軸との摩擦力を調整可能な縮径チャック部を設け、この縮径チャック部は、前記円筒軸が挿通可能な内管と、該内管を同心状に内挿した外管とからなる二重管構造とし、前記外管は半径方向に形成したスリットのクリアランスを調整して縮径可能とする一方、前記内管には中心に向かって移動可能な一対の円弧状締付部材を対設し、縮径した前記外管の内壁に押圧されて前記円弧状部材の対峙距離を調整可能としたことを特徴とする釣り用ホルダー。
【請求項２】
一対の円弧状締付部材は合成樹脂からなる請求項１記載の釣り用ホルダー。
【請求項３】
ホルダー本体は、竿先を上下動可能に釣竿の後端を保持する釣竿の保持部と、該保持部の下に位置して寝かせた状態の釣竿を下支えする竿受け部とからなる請求項１または２記載の釣り用ホルダー。
【請求項４】
ホルダー本体に、所定角度に起立した状態で釣竿を支持する竿支持部を竿受け部に対して傾倒可能に設けると共に、該竿支持部の下端には係合溝を設けてなり、さらに前記係合溝に係合して前記竿支持部を起立状態に保持するホルダーリングを竿受け部に掛止して設けた請求項３記載の釣り用ホルダー。
【請求項５】
竿受け部は俯角調整可能とした請求項３または４記載の釣り用ホルダー。
【請求項６】
ホルダー本体には、リールが取付可能な固定台を釣竿の保持部および竿受け部とは別個独立に設けた請求項１から５のうち何れか一項記載の釣り用ホルダー。
【請求項７】
釣竿の保持部近傍に竿先からリールへの釣糸をくぐらせるプーリーを設けた請求項６記載の釣り用ホルダー。
【請求項８】
プーリーはリールの前方に一体的に取付けられる請求項７記載の釣り用ホルダー。
【請求項９】
取付ベースは、船縁に固定可能なクランプを備えた請求項１から８のうち何れか一項記載の釣り用ホルダー。
【発明の詳細な説明】
【技術分野】
【０００１】
この発明は、釣竿のホルダーを魚の引きに応じて旋回させることができる構造に係り、特に船釣りに使用する釣り用ホルダーに関するものである。
【背景技術】
【０００２】
従来、船縁に固定可能な釣竿のホルダーは存在した（例えば、特許文献１を参照）。即ち、従来のホルダーは、船縁に幅と厚み方向から取付けられる取付ベースに、竿先を上下動可能とする釣竿保持部を設けたものである。
【０００３】
このホルダーによれば、釣竿を釣糸の巻取りやシャクリに必要な上下動を可能とした状態で船縁に固定できる。
【０００４】
【特許文献１】特開２００２−１６５５４２号公報
【発明の開示】
【発明が解決しようとする課題】
【０００５】
しかしながら、上述した従来のホルダーは、竿先の上下方向の運動を許容するものの、水平（左右）方向については常に同じ向きに固定されるものであるため、魚の引きが左右に激しく移動した場合、その力が取付ベースに作用して、船縁からホルダーが不用意に外れるおそれがあった。また、ホルダーが外れないまでも、ぐらつきが生じやすく、その都度、取付ベースを船縁に締め直すなどの煩わしさがあった。さらに、強固に取付ベースを固定している場合、船縁自体を損傷するおそれもあった。
【０００６】
こうした問題点に加えて従来のホルダーは、釣竿（保持部）を一定の角度に固定支持する機能がなかったため、仕掛け投入後のいわゆる当たり待ちの状態で、釣竿を寝かせた状態でしか保持できず、釣竿を４５度以上立てた状態で当たり待ちを行うトローリングには不向きであった。
【０００７】
さらに、従来のホルダーは、リールを釣竿または竿保持部に固定するものであったため、リールが釣竿と常に連動して上下動することを許容することになる。例えば、船が波に揉まれて、ローリングやホッピングなどにより上下に揺れた場合、リールが重りとなって釣竿が勢いよく起き上がることがあった。このとき、釣竿が人に当たれば怪我のおそれがあり、また船に当たれば釣竿や船を損傷させるおそれもある。特に、大型の魚を釣る際は、数キロから十数キロもある電動リールを使用することがあり、この場合、リールが重りとなったときの反動が大きいため、上述した問題への対処が重要となる。
【０００８】
本発明は上述した課題に鑑みなされたもので、その目的とするところは、あらゆる方向の引きに対しても取付ベースに負担がかからず、また船が激しい揺れた場合でもリールの重みで釣竿が勢いよく立ち上がることがない釣り用ホルダーを提供することである。さらに、トローリングにも兼用できる構造をも開示する。
【課題を解決するための手段】
【０００９】
上述した目的を達成するために本発明では、釣竿の保持部とその下に縦軸状の円筒軸とを備えたホルダー本体と、前記円筒軸を回動可能に挿入して前記ホルダー本体を旋回可能に枢支する支柱パイプを備えた取付ベースとからなり、該取付ベースの前記支柱パイプには、挿入した前記円筒軸との摩擦力を調整可能な縮径チャック部を設けるという手段を用いた。この手段によれば、縮径チャックの円筒軸に対する締付の度合いによって、ホルダー本体を自由旋回から完全な固定状態まで、その動きをコントロールすることができる。即ち、縮径チャックの締付度（円筒軸との摩擦力調整）は、当たりのあった魚に応じて調整すればよく、例えば引きが強く、海中での動きが激しい魚であれば、締付を強くして、ホルダー本体が乱雑に旋回することを規制することができる。
【００１０】
具体的構造として、縮径チャック部は、前記円筒軸が挿通可能な内管と、該内管を同心状に内挿した外管とからなる二重管構造とし、前記外管は半径方向に切欠したスリットのクリアランスを締付ボルトにより調整して縮径可能とする一方、前記内管には前記外管の縮径と連動して対峙距離が調整可能な一対の円弧状締付部材を対設することによっても構成することができる。
【００１１】
なお、円筒軸は強度の面から金属製とすることが好ましいが、この場合、縮径チャック部も金属製とすれば、摩擦力の調整が困難となる。このため、縮径チャック部は合成樹脂製とすることが好ましい。より具体的には、上記構造において、一対の円弧状締付部材を合成樹脂によって構成する。
【００１２】
上述のように縮径チャック部の締付度によってホルダー本体の旋回が制御された構成において、ホルダー本体は、竿先を上下動可能に釣竿の後端を保持する釣竿の保持部と、該保持部の下に位置して寝かせた状態の釣竿を下支えする竿受け部とから構成することが好ましい。つまり、この手段によれば、ホルダー本体の旋回動作に加えて、保持部により釣竿をシャクリ動作することができ、魚の引き等に応じて、釣竿を上下と水平を合わせた三次元で操ることができる。
【００１３】
さらに、この三次元操作可能な構成において、竿受け部には、所定角度に起こした状態で釣竿を支持するトローリング用の竿支持部を傾倒可能に設けると共に、該竿支持部の下端には係合溝を設けてなり、さらに前記係合溝に係合して前記竿支持部を起立状態に固定するホルダーリングを竿受け部に掛止して設けるという手段により、本ホルダーをトローリングにも使用することができる。なお、竿支持部の係合溝からホルダーリングを外せば、竿支持部が傾倒するから、釣竿を竿受け部に寝かせた状態として当たり待ちを行うことも可能である。
【００１４】
また、竿受け部を俯角調整可能とすることで、竿受け部により釣竿の保持角度（寝かせた状態での当たり待ち角度）を微調整することも可能である。
【００１５】
他方、ホルダー本体にリールが取付可能な固定台を設けることで、ホルダー本体全体として釣竿と共にリールの旋回運動は可能であるが、釣竿の保持部とは別個独立に固定されるため、リールは釣竿の上下動と連動しない。
【００１６】
またこの構成において、釣竿の保持部近傍に竿先からリールへの釣糸をくぐらせるプーリーを設けることによって、上述したトローリング時に釣糸を釣竿とほぼ平行するように導引することができる。
【００１７】
上記プーリーの取付け位置は釣竿保持部の近傍であれば厳格に定めるものではないが、リールの前方に一体的に取付けることが好ましい。
【００１８】
なお、ホルダー本体を旋回可能に支持する取付ベースに、船縁に固定可能なクランプを備えることで、本発明ホルダーを船釣りに使用することができる。
【発明の効果】
【００１９】
以上説明した手段によれば、釣竿の保持部を備えたホルダー本体を旋回可能に設けたので、使用者の意思または魚の引きに追従して釣竿を水平方向に旋回させることができるから、釣竿に作用する力をあらゆる方向に分散できる。従って、取付ベースに無理な力がかからず、ホルダーが不要に船縁から外れたり、ぐらつきが一切生じない。特に、本発明では縮径チャック部の締付度により、ホルダー本体を自由旋回から旋回不能までの範囲で当該旋回動作を制御できるから、当たりのあった魚の引き等、使用目的に応じた釣りを的確に行うことができる。また、縮径チャック部を合成樹脂製とすることで、その弾性能により締付力（摩擦力）の調整も容易に行え、さらに成型も容易であって、実用性に優れる。さらに、上記旋回機能に加え、釣竿を上下動可能に保持するホルダー本体を備えたものにあっては、どのような操作や引きに対しても、三次元でこれを操作および力の分散を図ることができる。また、竿受け部と竿支持部の二段階角度で釣竿を保持することができるので、両者を切り替えることで、本発明ホルダーをトローリング用ホルダーとして使用することもできる。その切り替えもまた、竿支持部の係合溝へのホルダーリングの係脱という簡単な操作によって行うことができる。さらにまた、竿受け部を俯角調整可能としたので、釣竿の保持角度を多段階に微調整することも可能である。また、ホルダー本体に釣竿の保持部とは別個独立にリールの固定台を設けたので、リールが釣竿の上下動に連動することはなく、従って、釣竿を単独で上下動することができると共に、仮に船が上下に揺れた場合でもリールが重りとなって、その反動により釣竿が不用意に起き上がる危険性がない。
【発明を実施するための最良の形態】
【００２０】
以下、本発明の好ましい実施の形態を添付した図面に従って説明する。図１は本発明の第一実施形態に係る釣り用ホルダーの全体を示したものである。同図において、１はホルダー本体であり、釣竿Ｓの後端を袋ナット等の適宜手段によって保持する保持部１０を、フレーム１１の前方上端に枢支された軸１０ａを回転軸として竿先が上下動するように取付けてなる。また、この保持部１０の下に位置して、フレーム１１には竿受け部１２が保持部１０（釣竿Ｓ）と同方向に突設されている。この竿受け部１２は、その後端を枢軸１２ａによって上下動可能に枢支すると共に、先端には凹状の釣竿Ｓの抱持部１２ｂが設けられ、さらに軸線上の２箇所に俯角調整孔１２ｃが形成されている。これと共に、フレーム１１には俯角調整孔１２ｃと連通する俯角決定孔１１ａ・１１ｂが形成されており、両孔１２ｃ・１１ａ・１１ｂをピン等（図示せず）で連結することによって、枢軸１２ａを回転軸として竿受け部１２の俯角を微調整することができる。ここでは前方（図面、右側）の俯角調整孔１２ｃと俯角決定孔１１ａを連結している。なお、両孔の数はこの実施形態に限定されない。さらにホルダー本体１において、フレーム１１には円筒軸１３が縦軸状に垂設されている。
【００２１】
続いて、２は取付ベースであって、主として上記円筒軸１３を回動可能に挿入して、ホルダー本体１全体を旋回可能に枢支する支柱パイプ２ａと、当該取付ベース２を船縁に固定するためのクランプ３とからなる。支柱パイプ２ａの中途には縮径チャック部２０が設けられており、この実施形態において縮径チャック部２０は、図２、図３に詳細図を示したように、円筒軸１３が挿通可能な内管２１と、この内管２１を同心状に内挿した外管２２とから二重管構造をなす。より詳しくは、内管２１は、図４として詳細図を示したように、円柱パイプ２１ａの側面二箇所に一対の円弧状空洞部２１ｂを形成すると共に、該空洞部２１ｂに円弧状締付部材２１ｃを一対向かい合わせに対峙して収容してなる。この円弧状締付部材２１ｃは、内径と外径の差で構成される厚みが、円柱パイプ２１ａのそれよりも大きく設定される。従って、円弧状締付部材２１ｃを空洞部２１ｂに収容したときは、両者の厚みの差だけ円弧状締付部材２１ｃの内壁もしくは外壁が空洞部２１ｂからはみ出ることになる。なお、円弧状締付部材２１ｃは合成樹脂から成型することが好ましい。このような内管２１に対して外管２２は、半径方向にスリット２２ａを形成して半割状リングとし、さらにスリット２２ａにクリアランス調整用の締め込みボルト２２ｂを設けてサドル状リングを構成している。そして、この外管２２に同心状に内管２１を被包するように組み付け、締め込みボルト２２ｂを締め込むことによって、外管２２におけるスリット２１ａのクリアランスが小さくなり、これに伴って外管２２の内径が変化するから、結果、外管２２の内壁に押圧されて内管２１の円弧状締付部材２１ｃの対峙距離が狭まり、挿入したホルダー本体１の円筒軸１３を締め付けて両者間の摩擦力が高まることで、ホルダー本体１の旋回滑りを調整することができる。
【００２２】
上記縮径チャック部２０における旋回構造によれば、外管２２のスリット２２ａのクリアランスを最大にすれば、締付部材２１ｃと円筒軸１３との間に摩擦が生ぜず、ホルダー本体１を完全フリーの状態で旋回可能とし、逆に、締め込みボルト２２ｂによって上記クリアランスを最小にすれば、締め込み部材２１ｃと円筒軸１３との摩擦力が最大となって、ホルダー本体１を旋回不能な固定状態もしくは最も滑りの悪い状態で旋回動作を規制することができる。つまり、この摩擦力の調整によって、ホルダー本体１の旋回動作を調整することができるのである。従って、仕掛けの組み付け時や引きの強い魚をターゲットとした場合等において、ホルダー本体１と共に釣竿Ｓが不用意に旋回することを規制することができる。また、円弧状締付部材２１ｃを合成樹脂製とすることで、適度な滑り摩擦が得られ、旋回動作の調整が行いやすい。
【００２３】
一方、取付ベース２には下部構造として、ホルダー本体１と共に当該取付ベース２を船縁に取付けるためのクランプ３が具備されている。このクランプ３は、縦方向の挟持部３０と横方向（厚み方向）の挟持部３１それぞれが、外管３１ａ・３２ａと内管３１ｂ・３２ｂの挿入により伸縮可能に構成されており、長さ決定のためのピン孔Ｐ１・Ｐ２を備える。また縦方向の挟持部３０の下端にはアゴ状のアタッチメント３３が、また横方向の挟持部３１の先端には垂下状のアタッチメント３４が設けられており、垂下状アタッチメント３４はその根元に回動軸を備え、船縁の形状に応じて回転させることにより、面で船縁を挟持するものである。ただし、この種釣り用ホルダーにおいて、船縁固定用のクランプは従来も存在するため、公知の構造を採用することもできる。
【００２４】
なお、上記実施形態では、釣竿Ｓの保持部１０を上下動可能としたので、釣竿Ｓをシャクリ動作できると共に、ホルダー本体１を旋回可能に設けたため、魚が左右に引いた場合でもこれに追従して魚の引く方向に竿先を向けることができる。従って、このような三次元動作によって、釣竿Ｓや釣糸に無理な力が作用せず、より高い釣果を期待できるものである。
【００２５】
また、上記実施形態では、ホルダー本体１に釣竿保持部１０や竿受け部１２とは別個独立にリールＲの固定台１４を設け、蝶ナット１４ａ等によりホルダー本体１に固定している。このため、相当重量のリールＲは釣竿Ｓの上下同操作と縁が切れた状態となり、釣竿Ｓのシャクリ動作を阻害することがない上、釣り船がローリングやホッピングした場合にもリールＲの重みによって釣竿Ｓが不用意にバウンドする恐れがない。なお、４はリールＲの前方に設けた釣糸用のプーリーである。その作用効果は、図８に従って、後述する。
【００２６】
次に、図５、６、７は、本発明の第二実施形態を示したものである。この第二実施形態に係る釣り用ホルダーは、トローリング用として釣竿Ｓを所定角度に起立させた状態に保持する竿支持部７を竿受け部１２と別途に設けたものである。この竿支持部７は、アーム部７ａを竿受け部１２の中途に回転軸７ｂを介して上下動可能に取付けると共に、アーム７ａの先端には角度調整部材７ｃを介して竿受け部１２のもの１２ｂと同様の抱持部７ｄを設けたものである。また、アーム７ａの後端には係合溝７ｅが形成されている。これに対して、アーム７ａの後方に位置して、竿受け部１２には、Ｃ状チャンネル型のホルダーリング８が挿通状態で掛止されている。
【００２７】
そして、図６に示したように、ホルダーリング８の下辺部８ａをアーム７ａの係合溝７ｅに係合させることによって、アーム７ａの前傾（竿受け部１２側への回転）が規制されると共に、竿支持部７を起立した状態に保持して、トローリングによる当たり待ち状態に釣竿Ｓを保持することができる。他方、ホルダーリング８の係合を解除するには、竿支持部７（アーム７ａ）を後方に回転することによって、係合溝７ｅからホルダーリング８が容易に脱する。そして、両者係合が解除されたときは、図７に示すように、竿支持部７は前傾方向に降りて、その抱持部７ｄに釣竿Ｓを保持した状態でアーム７ａが竿受け部１２の抱持部１２ｂに保持され、釣竿Ｓを寝かせた状態とすることができる。
【００２８】
このように、第二実施形態に係る釣り用ホルダーによれば、アーム７ａの係合溝７ｅに対するホルダーリング８の係脱によって、釣竿Ｓを通常（寝かせた状態）の当たり待ちとトローリング時の当たり待ちを切り替えることができる。また、この切り替えは、複雑な機構を採用することなく、ホルダーリング８の係脱のみという極めて簡単な操作によって行うことができる。
【００２９】
図８は、リールＲの前方に設けたプーリー４の動作を説明するものである。即ち、当該プーリー４は、竿先からリールＲに至る釣糸をくぐらせるものであり、釣竿Ｓをシャクリ動作やトローリング時の起立させた状態において、ラインＬ２となるべき釣糸ＳをラインＬ１のように釣竿Ｓを寝かせたときと同じ姿勢とするため、巻取りや繰り出しに無理な力が加わらず、糸切れ等の不都合を解消するものである。
【図面の簡単な説明】
【００３０】
【図１】本発明の第一実施形態に係る釣り用ホルダーの全体側面図
【図２】同、縮径チャック部の横断面図
【図３】同、縮径チャック部の縦断面図
【図４】同、縮径チャック部における内管の分解斜視図
【図５】本発明の第二実施形態に係る釣り用ホルダーの要部側面図（起立状態）
【図６】同、要部拡大斜視図
【図７】同、要部側面図（係合解除）
【図８】プーリーの動作を示したホルダーの側面図
【符号の説明】
【００３１】
１  ホルダー本体
２  取付ベース
３  クランプ
１０  保持部
１２  竿受け部
１３  円筒軸
２０  縮径チャック部
【図１】
0004572307.tif 000002
【図２】
0004572307.tif 000003
【図３】
0004572307.tif 000004
【図４】
0004572307.tif 000005
【図５】
0004572307.tif 000006
【図６】
0004572307.tif 000007
【図７】
0004572307.tif 000008
【図８】
0004572307.tif 000009